(57)【要約】引出しの積重ねのために引出しスライド・インタロック組立体が備えられ、この引出しスライド・インタロック組立体はスライドを包むことができるように引出しスライドの後部にはめ込まれており、この組立体は外側スライド部材の中にはめ込まれたハウジング（２２）を含み、ハウジング（２２）はその上に好ましくは滑動式にスライド部材の後部に向かって偏向されたプレート（２６）を有し、内側スライド部材（１６）の後端部の上に作動器（３２）があり、内側スライド部材（１６）はその上に作動表面（５８）を有し、作動表面（５８）は作動器従動体（３６）と協働し、作動器従動体はプレート（２６）の移動方向に直角に動くためにスライド部材（１４）に滑動式に支持されており、この構成では引出しが開位置に向かって移動されると、作動器従動体（３６）は最初の位置から阻止位置へ動かされ、この結果、積重ねにおける他のあらゆる引出しが開けられるのが防止される。【選択図】図５
2005504905.tif 000002
【特許請求の範囲】
【請求項１】
引出し戸棚用の引出しスライド・インタロック組立体（１０）であって、離隔した引出しスライドによってフレームの中に取り付けられた１セットの垂直に配置された引出しを備え、各引出しスライドは、互いに滑り可能な外側スライド部材（１４）と内側スライド部材（１６）とを含み、外側スライド部材はフレームの上に取り付けるようになっており、内側スライド部材は引出しのそれぞれ１つに取り付けるようになっており、前記インタロック組立体は、延長可能な引出しスライド（１２）の後部（２０）に位置し各引出しスライドのために引出しセットの少なくとも１つの側の上に最初の位置と阻止位置との間で外側スライド部材（１４）に対して移動可能なプレート（２６）と、内側スライド部材（１６）の後部に取り付けられた作動器（３２）と、内側スライド部材（１６）が連結されている引出しが開いているときにはプレート（２６）が作動器（３２）によって係合されてその阻止位置へ動くようにするキャッチ手段（７９，８２）と、プレート（２６）をハウジング（２０）内の阻止位置に維持するための手段（３０）と、プレート阻止位置と阻止された位置との間で外側スライド部材に対して移動するために支持された作動器従動体（３６）とを備え、引出しが開かれると作動器従動体（３６）はそのプレート阻止位置からその阻止された位置まで動かされ、続いて前記作動器従動体（３６）は引出しが開いている間は阻止された位置に維持され、引出しの閉鎖によってプレート（２６）はその最初の位置に戻され、作動器従動体（３６）はそのプレート阻止位置へ戻ることができるようになる引出しスライド・インタロック組立体。
【請求項２】
作動器（３２）が作動器従動体を外向きに移動させて、外側スライド部材（１４）の縦方向中心軸から離すように作動器従動体（３６）と協働する請求項１に記載のインタロック組立体。
【請求項３】
掛け金をかけた位置に動かされた結果として、プレート（２６）がその阻止位置に保持され、その結果、作動器従動体が阻止位置に維持される請求項２に記載のインタロック組立体。
【請求項４】
プレート（２６）が外側スライド部材の後端部に向かってまたはこれから離れるように移動するために外側スライド部材（１４）の後端部によって支持されたハウジング（２０）の中に滑り可能に支えられ、阻止位置はこれから離隔しており、掛け金手段（３０）がハウジング（２０）とプレート（２６）との間に設けられている請求項１，２または３に記載のインタロック組立体。
【請求項５】
プレート（２６）をハウジング（２０）の後部に向かって偏向させるばね手段（５０）をさらに含み、掛け金手段（３０）はハウジング（２０）とプレートとの間に延在してプレート（２６）をハウジングの後部から離隔したその阻止位置に保持し、キャッチ手段（７９，８２）は作動器（３２）とプレート（２６）との間に延在しており、キャッチ手段は、内側引出しスライド部材（１６）が取り付けられている引出しが開いているときに内側引出しスライド部材が最初にその最後尾位置から移動されるとプレート（２６）をハウジングの後部からその阻止位置へ動かすように配置されているが、プレート（２６）がその阻止位置にあって引出しが完全に開くことを可能にするときにはプレート（２６）を解除するように配置され、前記の解除は一旦解除可能な掛け金手段（３０）が掛け金のかかった位置にあると発生し、この構成は引出しが閉位置に移動されて作動器（３２）が掛け金をかけられたプレートの近くに移動すると解除可能な掛け金手段（３０）が外され、こうしてプレート（２６）をそのばね偏向の下でハウジング（２０）の後部に移動することを可能にする請求項４に記載のインタロック組立体。
【請求項６】
作動器従動体（３６）がその上に少なくとも１つの従動体表面（４６，４８）を有し、従動体表面は作動器（３２）上の表面（５８、６０）と協働し、こうして作動器従動体（３６）をその阻止位置へ移動させ、ここで連結ロッド（４０）がその一端では作動器従動体（３６）に取り付けられ、対向する他端では隣接引出しの引出しスライド・インタロック組立体の同様な作動器従動体（３６）に取り付けられており、この構成はプレート（２６）がその阻止位置にあるときには、プレート（２６）の側部表面（９６）は作動器従動体（３６）がそのプレート阻止位置に戻り移動することを防止するようになったものであり、こうして隣接引出しの隣接引出しスライド・インタロック組立体の作動器従動体（３６）を隣接機構のプレート（２６）の移動をその阻止位置への移動から防ぐような位置に維持し、これによって第２引出しの解放を防止する請求項１ないし５のいずれか１項に記載のインタロック組立体。
【請求項７】
プレート（２６）が前方突出ノーズ（７９）を有するデルタ形である請求項６に記載のインタロック組立体。
【請求項８】
デルタ形の先縁部（６８，７０）がプレート上に作動表面を提供する請求項７に記載のインタロック組立体。
【請求項９】
解除可能な掛け金手段（７９，８２）が突出ノーズ（７９）の上に部分的に形成されている請求項７または８に記載のインタロック組立体。
【請求項１０】
作動器従動体（３６）がその上に２つの従動体表面（４６，４８）、すなわち作動器（３２）上の作動器表面（５６，６０）と協働する第１作動器表面（４６）と、プレート（３６）上の作動表面（６８）と協働する第２作動器表面（４８）とを有する請求項４ないし９のいずれか１項に記載のインタロック組立体。
【請求項１１】
ハウジングが後部（２３）と後部（２３）から離隔した前部（２５）とに分けられ、後部（２３）は外側スライド部材（１４）の縦軸に概して平行に延びた少なくとも１つのスライド・レール（７４）によって前部（２５）に連結されている請求項４，５または１０に、請求項４に従属するときには請求項６ないし９のいずれか１項に記載のインタロック組立体。
【請求項１２】
滑り路がスライド・レールまたは各スライド・レール（７４）と係合するプレート（２６）の下側に設けられている請求項１１に記載のインタロック組立体。
【請求項１３】
ハウジングの後部（２３）の前縁部がハウジングの前部（２５）の後縁部に平行であり、前記２つの縁部が作動器従動体または各作動器従動体（３６）のための案内壁を提供する請求項１１または１２に記載のインタロック組立体。
【請求項１４】
２つのレールがハウジング（２０）の全長にわたって延在し、解除可能な掛け金手段（３０）がレール（７４）の１つの前端部に直立部を、プレート（２６）の前端部の上に掛け金ノーズ（７９）を含む請求項１１ないし１３のいずれか１項に記載のインタロック組立体。
【請求項１５】
プレート（２６）の前端部が掛け金ノーズ（７９）とその上に支えられたプレート・キャッチ手段（８０）とを有し、掛け金ノーズ（７９）は旋回軸として作動するプラスチック材料の薄いセクション（８１）によってプレート（２６）の残り部分に連結され、ノーズをプレートの平面に直角に延びる軸の周りに旋回させる請求項１４に記載のインタロック組立体。
【請求項１６】
ノーズ（７９）はその後面にフック（７６）を有しており、後面は直立部（７８）上の前縁部と協働して前記解除可能な掛け金手段を提供する請求項１５に記載のインタロック組立体。
【請求項１７】
直立部（７８）の後面がプレート（２６）上のストップと協働して引出しスライド（１４）の後端部から離れるプレートの移動を制限する請求項１６に記載のインタロック組立体。
【請求項１８】
プレート・キャッチ手段がノーズ（７９）における凹部（８０）の中のキャッチ表面（８５）と協働する作動器（３２）の後面にスタッド（８２）を含み、ノーズ（７９）は休止位置を有し、この位置でフック（７６）は直立部（７８）の前端部と係合するための位置にあり、この配置では作動器がプレート（２６）の上に重なるように外側引出しスライド部材（１４）の後部に向かって移動すると、スタッド（８２）がキャッチ表面（８５）とは反対の解除表面（８３）と係合して、ノーズ（７９）を直立部（７８）の前端部からフック（７６）を解除するような方向に旋回させ、こうしてプレート（２６）をそのばね偏向の下で外側引出しスライド部材（１４）の後部に向けて、プレートの側部表面（９８）が作動器従動体（３６）がスライド部材（１４）の縦方向中心軸に向かって移動することを防止しなくなるまで移動させることを可能にする請求項１４ないし１７のいずれか１項に記載のインタロック組立体。
【請求項１９】
作動器（３２）が作動器従動体（３６）上の傾斜したリセット表面（４７）と協働するための（作動器の移動に関して）後方縁部の上にもう１つの傾斜表面（６２，６４）を有する請求項１０ないし１８のいずれか１項に記載のインタロック組立体。
【請求項２０】
ハウジング（２０）の後部分（２３）がプレート（１３４）の後部分と係合する２つの外側に曲がったレール（１３０、１３２）を組み込むブリッジ部材（１２８）によってハウジング（２０）の前部分（２５）に連結されており、直立したガイド・ポスト（１４０）がハウジングの前部分（１２６）の前端部にあり、これはプレート（１３４）の前端部のガイド手段として作用する請求項１１ないし１３のいずれか１項に記載のインタロック組立体。
【請求項２１】
プレート（１３４）の前端部が横方向に延びる滑り表面（１４４）を備えており、滑り表面（１４４）は直ぐ下の曲がったガイド（１４２）と直立ガイド・ポスト（１４０）の上で係合する請求項２０に記載のインタロック組立体。
【請求項２２】
プレート（１３４）の前端部がその中に中央開口を備えてキャッチ手段の一部を受け入れる請求項２０または２１に記載のインタロック組立体。
【請求項２３】
キャッチ手段（１５８）の一部分が開口（１５６）の中でプレート（１３４）の下側にある相旋回軸スロット内に係合する一対の外向きに突出した旋回軸（１６０）によって旋回可能に支持されている請求項２２に記載のインタロック組立体。
【請求項２４】
キャッチ手段の部分が開口（１５６）の中に完全に位置する主突起（１６２）を含み、この突起はその後部から直立する突合せ部（１６４）と、その前部から直立するもう１つの突合せ部（１６６）とを有し、後者の突合せ部は面取りされた前端部（１６８）を有し、その下側から弾性変形可能な掛け金フック（１７０）が延びている請求項２３に記載のインタロック組立体。
【請求項２５】
作動器（３２）の後面に突合せ部（１６４）ともう１つの突合せ部（１６８）との間にはまるように寸法決めされた垂下ブロック（８３）の中で終端する溝（８９）が形成され、ブロック（８３）の一後面（８７）は突合せ部（１６４）の一前面と係合可能であり、ブロック（８３）の一前面（８５）はもう１つの突合せ部（１６８）の一後面と係合可能であり、この配置では作動器（３２）が外側引出しスライドの後面から前方に移動するとブロック（８３）は後面に係合し、こうしてプレート（２６）をそのばね偏向に対抗してハウジング（２０）の前面に向けて掛け金フック（１７２）の後端部がハウジング（２０）の前部の前縁部（１７４）と係合するまで引き、これによってブロック（８３）はキャッチ手段から外れて引出しを完全に開くことができるようになっており、この配置では引出しを手前に移動させると、ブロック（８３）の後面（８７）はもう１つの突合せ部（１６８）の面取りされた前縁部の上に載り、ブロック（８３）が突合せ部（１６４）の上の前面に係合するまで作動器（３２）が後方に移動することを可能にし、これによってフック（１７０）をハウジング（２０）の前縁部（１７４）から外すようにキャッチ手段（１５８）を旋回させ、ブロックが突合せ部（１６４）ともう１つの突合せ部（１６８）との間に係合できるようにし、これによってプレート（３２）をそのばね偏向の下でスライド部材の後端部に向かって移動可能にするようになっている請求項２４に記載のインタロック組立体。
【請求項２６】
ばね偏向がハウジングの後部のバッファ（１４６）とプレート（１３４）下側の２つの離隔した固定点（１５５）との間に延びるコイルばねによって提供される請求項２０ないし２５のいずれか１項に記載のインタロック組立体。
【請求項２７】
単一のスライド・レール（２２８）がハウジングの前部分（２２６）と後部分（２２８）をともに接合しており、中央滑り路（２３０）が前記スライド・レール（２２８）の中に形成され、前記スライド・レールはその一後端部にリサイクル凹部（２３５）を有し、その一前端部の近くに掛け金凹部（２３１）を有する請求項４に記載のインタロック組立体。
【請求項２８】
プレート（２３４）はその下側にスライド・レール（２２８）と係合する中央滑り路（２４９）を有し、中央滑り路（２４９）の中に一端部に旋回ビン（２５９）を対向する他端部に弧状スロット（２６１）を備えた凹部（２５７）を有し、これによって一端部に開口（２６５）を他端部にキャッチ・ピン（２６７）を有する旋回アーム（２６３）が、旋回ピン（２５９）と弧状のスロット（２６１）の中を滑ってそこから上向きに突出するキャッチ・ピン（２６７）とを囲む開口（２６５）を有する凹部（２５７）の中に旋回可能に支持されている請求項２７に記載のインタロック組立体。
【請求項２９】
ハウジング（２２２）上のスライド・レール（２２８）に滑り路（２３０）を滑り係合させるために、旋回アーム（２６３）の下側に垂下案内ピン（２６９）が備えられている請求項２８に記載のインタロック組立体。
【請求項３０】
作動器（２３２）がその下側に３つの主凹部を有し、このうちの２つは横方向外側に開いており、作動器従動体（３６）上の従動体表面（２４８）と協働するように設計された前向きの作動表面（２５８，２６０）によって部分的に画定されており、第３の凹部は作動器従動体（３６）上の前向きの傾斜した従動体表面（４７）と協働するように設計された２つの後向きの傾斜した表面（６２，６４）の間に位置する請求項２７，２８または２９に記載のインタロック組立体。
【請求項３１】
第３凹部が一般に作動器（２３２）の下側内部で前後に延びており、凹部の壁から離隔した下向きに垂下する孤立ブロック（２０５）を中に有し、ブロック（２０５）の片側に前後に延びる直線チャネルを、また他の側にリサイクル・チャネル（２２１）を画定し、前後に延びる直線チャネルとリサイクル・チャネルとは、凹部の前端部において凹部の弧状壁（２２５）によって互いに連結されており、壁の一部分はキャッチ・ピン（２６７）のための掛け金がかけられていない表面（２２３）を画定し、壁の他の部分はキャッチ・ピン（２６７）のためのリサイクル・カミング表面（２２７）を形成する請求項３０に記載のインタロック組立体。
【請求項３２】
前端部では、孤立ブロック（２０５）は掛け金作動表面（２１３）の前端部と合流する傾斜したピン引張り表面（２１１）を有し、掛け金作動表面の後端部は前後に延びる通路と合流している請求項３１に記載のインタロック組立体。
【請求項３３】
後向きのリサイクル表面（２１７）がキャッチ・ピン（２６７）を上向きに滑り路（２３０）におけるリサイクル凹部（２３５）の中に移動させるために垂下する孤立ブロック上に設けられている請求項３１または３２に記載のインタロック組立体。
【請求項３４】
実質的に、添付の図面の図１から６のいずれか、または図７から１２のいずれか、または図１３から２１のいずれかを参照して説明された、および／またはこれに示された引出しスライド・インタロック組立体。
【請求項３５】
前記請求項のいずれか１項に記載の引出しスライド・インタロック組立体を有する引出し。
【請求項３６】
戸棚の中に垂直に配置された戸棚の積重ねであって、各引出しは請求項１ないし３４のいずれか１項に記載のインタロック組立体を備え、ある１つの引出しの組立体の作動器従動体（３６）と隣接する引出しのものとの間に連結ロッド（４０または４０ａ）が延在し、このロッド（４０）は戸棚の後部近くに位置されている引出しの積重ね。
【請求項３７】
戸棚の中に支持された引出しの積重ねが、複数の引出しが同時に開けられた結果として転倒することを防止するための方法であって、請求項１ないし３４のいずれか１項に記載の引出しスライド・インタロック組立体を積重ねにおける各引出しに取り付けることを含み、これによって積重ねにおける引出しの１つが開けられたときにインタロック組立体が最初の引出しが閉位置に移動されるまで他の引出しが開かれることを防止する方法。
【請求項３８】
戸棚における引出しスライドの上に取り付けられた１セットの引出しの１つの引出しスライドのためのインタロック組立体であって、引出しスライドの後部に備えられ、中に引出しスライド用の自動閉鎖機構（５０）が組み込まれているインタロック組立体。
【請求項３９】
自動閉鎖機構がインタロック組立体のハウジング（２０）とハウジング（２０）の中に移動可能に支持されたプレート（２６）との間に延在するばね（５０）を含み、プレート（２６）は内側スライド部材（１６）が引出しスライドの後部近くにあるときにはインタロック組立体の一部を形成する掛け金手段（７９，８２）によって引出しスライドの内側スライド部材（１６）に連結されている請求項３８に記載のインタロック組立体。
【請求項４０】
プレート（２６）がハウジング（２０）の後部における第１部分とそれから離隔する阻止位置との間でハウジング（２０）の中に滑り可能に支持されており、ばね（５０）がプレートをハウジング（２０）の後部における最初の位置に向けて偏向する請求項３８または３９に記載のインタロック組立体。
【発明の詳細な説明】
【技術分野】
【０００１】
本発明は引出しスライド用のインタロック組立体に関する。詳しくは、本発明は引出しスライドの後端部に位置するインタロック組立体に関する。さらに、本発明は垂直に配置された引出しのセットで使用するための引出しセットにおける１つの引出しをセット中における他の１つの引出しが開いているときには開かないようにするインタロック組立体に関する。本発明はまた、引出しスライドに取り付けられた自動閉鎖機構を備えたインタロック組立体にも及ぶ。
【背景技術】
【０００２】
引出しを備えた備品類は、各々が一対のスライドによってフレームの中に取り付けられた引出しを有することが多い。このようなスライドは縦方向に延在して互いに滑り可能である少なくとも２つのスライド部材を備えている。一方のスライド部材、通常は内側部材が引出しに取り付けられ、他方のスライド部材、通常は外側部材が引出しが中に取り付けられている備品類のフレームに取り付けられている。少なくとも１つの中間スライド部材が外側スライド部材と内側スライド部材との間に置かれていることが多い。通常、これらのスライド部材は滑り可能に連結され、あるスライド部材の軸受け軌道はボール・ベアリングを使用する少なくとも１つの他のスライド部材の軸受け軌道の中に収まり、この軸受け軌道と連動する。スライド組立体は引出しとフレームの間の摩擦を減らす助けとなり、したがって引出しの移動を容易にし構成部分の摩耗を減少させる。
【０００３】
１つの備品が複数の引出しを含む場合には、２つ以上の引出しが同時に開いた場合に備品が傾くかまたは倒れる恐れがある。したがって、備品の中にインタロック、すなわち１つの引出しを引出しセットにおける他の引出しが開いていない場合にのみ開くことができるようにする手段を含むことが望ましく、これによって同時に２つ以上の引出しが同時に開くことを防止する。
フレームの中に垂直に配置された引出しの間にインタロックを備えるための手段は従来の技術において開示されている。特許文献ＥＰ０８１８５９７Ａ２は、引出しスライドの上に取り付けられた２つまたはそれ以上の垂直に配置された引出しととも使用するためのインタロック組立体を開示している。
このインタロック組立体は、引出しスライドの前部すなわち引出し前部の最も近い端部に配置されている。引出しを開くと、外側または固定されたスライド部材の中に取り付けられた作動器従動体が外側スライド部材におけるこれらの位置から、作動器によって押し出され、内側スライド部材の側縁部によってその位置に保たれる。
作動器従動体は各々ロッドに取り付けられ、作動器従動体の移動によってこれらのロッドはスライドからそれぞれ上下に押し出される。各ロッドの他端部では、追加の作動器従動体があってもよい。
ロッドの移動は、追加作動器従動体を開かれている引出しの直ぐ上および／または直ぐ下にある引出しの内側スライド部材の作動器に対して押圧する。したがって、作動器従動体は内側スライド部材の前端部上の作動器が他の引出しが開いているときには、外側または固定されたスライド部材に対して滑動することを防止する。この方法で、ロッドと作動器の移動は開いている引出しの上および下の引出しに伝達されるので、すべての他の引出しが少なくとも１つの作動器従動体が各引出しのための作動器に対して作用することによって開くことを防止する。
【０００４】
しかしながら、インタロック組立体が引出しスライドの前端部に位置する場合には、この引出しスライドのインタロック組立体をこの引出しの上および／または下の引出しスライドのインタロック組立体に連結するためのロッドまたは他の手段は、カバーまたはシュラウドが引出しスライドの周りに位置付けられることを防止する。このようなカバーは美学的理由から望ましく、したがってシュラウドが引出しスライド覆うことを可能にするインタロック組立体が必要とされる。
【０００５】
従来の技術によるインタロック組立体を単に逆にしても、この問題を解決することにはならない。それは、内側スライド部材が外側スライド部材に対して移動すると、作動器は移動して引出しスライドの後端部から離れ作動器従動体を通り過ぎるからである。一旦、作動器が作動器従動体を通り過ぎると、作動器従動体を外側スライド部材におけるこれらの元の位置から離して保つものはない。したがって、引出しスライドの縦配置における他の引出しが開くこともある。
【発明の開示】
【発明が解決しようとする課題】
【０００６】
したがって、本発明の目的は、上記の問題を克服するインタロック組立体を提供することである。
【課題を解決するための手段】
【０００７】
本発明によれば、各々が互いに滑り可能な外側スライド部材と内側スライド部材とを有する離隔した引出しスライドによってフレームの中に取り付けられた１セットの垂直に配置された引出しを備えた引出し戸棚のための引出しスライド・インタロック組立体であって、外側スライド部材はフレームに取り付けるようになっており、内側スライド部材は引出しのそれぞれ１つに取り付けるようになっており、前記インタロック組立体は、延長可能な引出しスライドの後部に位置し各引出しスライドのために引出しセットの少なくとも１つの側の上に離隔した引出しスライドによってフレームの中に取り付けられた１セットの垂直に配置された引出しを備えた引出し戸棚用の引出しスライド・インタロック組立体を備え、各引出しスライドは、互いに滑り可能な外側スライド部材と内側スライド部材とを含み、外側スライド部材はフレームの上に取り付けるようになっており、内側スライド部材は引出しのそれぞれ１つに取り付けるようになっており、前記インタロック組立体は、延長可能な引出しスライドの後部に位置し各引出しスライドのために引出しセットの少なくとも１つの側の上に最初の位置と阻止位置との間で外側スライド部材に対して移動可能なプレートと、内側スライド部材の後部に取り付けられた作動器と、内側スライド部材が連結されている引出しが開いているときにはプレートが作動器によって係合されてその阻止位置へ動くようにするキャッチ手段と、プレートをハウジング内の阻止位置に維持するための手段と、プレート阻止位置と阻止された位置との間で外側スライド部材に対して移動するために支持された作動器従動体とを備え、引出しが開かれると、作動器従動体はそのプレート阻止位置からその阻止された位置まで動かされ、続いて作動器従動体は引出しが開いている間は阻止された位置に維持され、引出しの閉鎖によってプレートはその最初の位置に戻され、作動器従動体はそのプレート阻止位置へ戻ることができるようになる引出しスライド・インタロック組立体が提供される。
【０００８】
好ましい構成では、作動器は作動器従動体と協働して作動器従動体を外向きに移動させて外側スライド部材の縦方向中心軸から離す。しかしながら、協働はプレートと作動器従動体との間で行うことができる。これらの構成のいずれにおいても、掛け金をかけた位置に動かされた結果としてプレートがその阻止位置に保持され、その結果、作動器従動体が阻止位置に維持されていることが好ましい。よって掛け金を外すと、これはプレートと作動器が両方とも「引出しが閉じた」位置に戻っているので、作動器従動体がそのプレート阻止位置へ戻ることを可能にする。滑り可能に取り付けるのではなく、作動器従動体または各作動器従動体を外側スライド部材に対して回転移動するように取り付けることもできる。
【０００９】
プレートを外側スライド部材にたとえば適当なレールの上に直接滑動するように取り付けることもできるが、プレートが縦方向中心軸に平行に移動するために外側スライド部材の後端部によって支持されたハウジングの中に滑り可能に支えられていることが好ましく、前記最初の位置はハウジングの後部にあり、阻止位置はこれから離隔している。掛け金手段がハウジングとプレートとの間に設けられていることも好ましい。
【００１０】
好ましくは、引出しスライド・インタロック組立体はさらにプレートをハウジングの後部に向かって偏向させるばね手段を含み、掛け金手段はハウジングとプレートとの間に延在してプレートをハウジングの後部から離隔したその阻止位置に保持し、キャッチ手段は作動器とハウジングとの間に延在しており、キャッチ手段は内側引出しスライド部材が取り付けられている引出しが開いているときに、内側引出しスライド部材が最初にその最後尾位置から移動されると、プレートをハウジングの後部からその阻止位置へ動かすように配置されているが、プレートがその阻止位置にあって引出しが完全に開くことを可能にするときにはプレートを解除するように配置され、前記の解除は一旦解除可能な掛け金手段が掛け金がかかった位置にあると発生し、この構成は引出しが閉位置に移動されて作動器が掛け金をかけられたプレートの近くに移動すると解除可能な掛け金手段が外され、こうしてプレートをそのばね偏向の下でハウジングの後部に移動することを可能にするようになったものであり、作動器従動体はその上に少なくとも１つの従動体表面を有し、従動体表面は作動器上の表面と協働し、こうして作動器従動体をその阻止位置へ移動させ、ここで連結ロッドがその一端では作動器従動体に取り付けられ、対向する他端では隣接引出しの引出しスライド・インタロック組立体の同様な作動器従動体に取り付けられており、この構成はプレートがその阻止位置にあるときにはプレートの側部表面は作動器従動体がそのプレート阻止位置に戻り移動することを防止するようになったものであり、こうして隣接引出しの隣接引出しスライド・インタロック組立体の作動器従動体を隣接機構のプレートの移動をその阻止位置への移動から防ぐような位置に維持し、これによって第２引出しの解放を防止する。
【００１１】
一実施形態では、プレートは前方突出ノーズを有するデルタ形であり、デルタ形の先縁部はプレート上に作動表面を提供する。別の実施形態では、プレートはＵ形でありその先縁部はプレート上に作動表面を提供する。
【００１２】
作動器従動体はその上に２つの従動体表面を有することもでき、すなわち作動器上の作動器表面と協働する第１作動器表面と、プレート上の二次作動表面と協働する第２作動器表面である。
【００１３】
本発明のある実施形態では、解除可能な掛け金手段がデルタ形プレートの突出ノーズの上に部分的に形成されている。
【００１４】
ハウジングは後部と後部から離隔した前部とに分けられ、後部が外側スライド部材の縦軸に概して平行に延びた少なくとも１つのスライド・レールによって前部に連結されていることが好ましい。
【００１５】
また、滑り路がハウジングのスライド・レールまたは各スライド・レールと係合するプレートの下側に設けられることも好ましい。
【００１６】
ハウジングの後部の前縁部がハウジングの前部の後縁部に平行であり、前記２つの縁部が作動器従動体または各作動器従動体のための案内壁またはスライド・チャネルを提供することが好ましい。
【００１７】
本発明の第１実施形態では、２つのレールがハウジングの全長にわたって延在し、解除可能な掛け金手段がレールの１つの前端部に直立部をプレートの前端部の上に掛け金ノーズを含むことが好ましい。
【００１８】
第１実施形態では、プレートの前端部が掛け金ノーズとその上に支えられたプレート・キャッチ手段とを有し、掛け金ノーズが旋回軸として作動するプラスチック材料の薄いセクションによってプレートの残り部分に連結され、ノーズをプレートの平面に直角に延びる軸の周りに旋回させることが好ましい。
【００１９】
ノーズがその後面にフックを有し、後面は直立部の前縁部と協働して前記解除可能な掛け金手段を提供することが好ましい。また、直立部の後面がプレート上のストップと協働して引出しスライドの後端部から離れるプレートの移動を制限することも好ましい。
【００２０】
第１実施形態では、プレート・キャッチ手段がノーズにおける凹部の中のキャッチ表面と協働する作動器の後面に好ましくはずれて配置されたスタッドを含み、ノーズは休止位置を有し、この位置でフックは直立部の前端部と係合するための位置にあり、この配置では作動器がプレートの上に重なるように外側引出しスライド部材の後部に向かって移動すると、スタッドがキャッチ表面とは反対の解除表面と係合してノーズを直立部の前端部からフックを解除するような方向に旋回させ、こうしてプレートをそのばね偏向の下で外側引出しスライド部材の後部に向けてプレートの側部表面が作動器従動体のスライド部材の縦方向中心軸に向かう移動を防止しなくなるまで移動させることを可能にするようになっている。
【００２１】
作動器上の作動表面が、プレートの作動表面が作動器従動体上の第２従動体表面と接触する前に作動器従動体の第２従動体上の作動表面と接触することが好ましい。これは、作動器従動体の移動が作動器によって開始されることを確実にする。このような移動がプレート上の作動表面によって開始された場合には、内側引出しスライド部材が前方に移動されているので、結果として生ずる力が掛け金手段を外すという危険性、または掛け金ノーズ用の旋回軸として作用するプラスチック材料の薄いセクションが壊れるかもしれないという危険性がある。
【００２２】
作動表面が縦方向中心軸と鋭角をなすことは重要であり、すなわちこの角度は約４５°であることが好ましい。
【００２３】
作動器が作動器従動体上の傾斜したリセット表面と協働するための（作動器の移動に関して）後方縁部の上にもう１つの傾斜表面を有することが好ましい。これは、インタロック組立体の機構が何かの理由でたとえば掛け金手段の不意の外れ、または不適時におけるキャッチ手段の不注意の解除による結果として同期化を止めた場合にインタロック組立体の機構のリセットまたは再循環を可能にするためである。
【００２４】
本発明の第２実施形態では、ハウジングの後部がプレートの後部分と係合する２つの外側に曲がったレールを組み込むブリッジ部材によってハウジングの前部に連結されていることが好ましく、直立したガイド・ポストがハウジングの前部の前端部にあり、これはプレートの前端部のガイド手段として作用する。
【００２５】
この実施形態では、プレートの前端部が横方向に延びる滑り表面を備えていることが好ましく、この滑り表面は直ぐ下の曲がったガイドと直立ガイド・ポストの上で係合し、プレートの前端部はその中に中央開口を備えてキャッチ手段の一部を受け入れる。
【００２６】
キャッチ手段の一部分が開口の中で、プレートの下側にあるかみ合い旋回軸スロット（ｍａｔｉｎｇ  ｐｉｖｏｔ  ｓｌｏｔ）内に係合する一対の外向きに突出した旋回軸によって旋回可能に支持されていることが好ましい。また、キャッチ手段のこの部分が開口の中に位完全に置する主突起を含み、この突起はその後部から直立する突合せ部と、その前部から直立するもう１つの突合せ部とを有し、後者の突合せ部は面取りされた前端部を有し、その下側から弾性変形可能な掛け金フックが延びていることも好ましい。
【００２７】
本発明の第２実施形態では、作動器の後面に突合せ部ともう１つの突合せ部との間にはまるように寸法決めされた垂下ブロックの中で終端する溝が形成されていることが好ましく、ブロックの一後面は突合せ部の一前面と係合可能であり、ブロックの一前面はもう１つの突合せ部の一後面と係合可能であり、この配置では作動器が外側引出しスライドの後面から前方に移動するとブロックは後面に係合し、こうしてプレートをそのばね偏向に対抗してハウジングの前面に向けて掛け金フックの後端部がハウジングの前部の前縁部と係合するまで引き、これによってブロックはキャッチ手段から外れて引出しを完全に開くことができるようになっており、この配置では引出しを手前に移動させるとブロックの後面はもう１つの突合せ部の面取りされた前縁部の上に載り、ブロックが突合せ部の上の前面に係合するまで作動器が後方に移動することを可能にし、これによってフックをハウジングの前縁部から外すようにキャッチ手段を旋回させ、ブロックが突合せ部ともう１つの突合せ部との間に係合できるようにし、これによってプレートをそのばね偏向に対抗してスライド部材の後端部に向かって移動可能にするようになっている。
【００２８】
本発明の好ましい第３実施形態では、単一のスライド・レールがハウジングの前部と後部をともに接合していることが好ましく、中央滑り路が前記スライド・レールの中に形成され、前記スライド・レールはその一端部に再循環凹部を有し、その一前端部の近くに掛け金凹部を有する。この実施形態では、プレートがその下側にスライド・レールと係合する中央滑り路を有することが好ましく、好ましくは中央滑り路の中に一端部に旋回ビンを対向する他端部に作動スロットを備えた凹部を有し、これによって一端部に開口を他端部にキャッチ・ピンを有する旋回アームが旋回ピンと弧状のスロットの中を滑ってそこから突出するキャッチ・ピンとを囲む開口を有する凹部の中に旋回可能に支持される。ハウジング上のスライド・レールに滑り路を滑り係合させるために、旋回アームの下側に垂下案内ピンが備えられていることも好ましい。
【００２９】
第２実施形態および第３実施形態におけるばね偏向がハウジングの後部のバッファとプレート下側の２つの離隔した固定点との間に延びるコイルばねによって提供されることも好ましい。
【００３０】
本発明の好ましい第３実施形態では、作動器がその下側に３つの主凹部を有することが好ましく、このうちの２つは横方向外側に開いており、作動器従動体上の従動体表面と協働するように設計された前向きの作動表面によって部分的に画定されており、第３の凹部は作動器従動体上の前向きの傾斜した従動体表面と協働するように設計された２つの後向きの傾斜した表面の間に位置する。第３凹部は概ね作動器の下側内部で前後に延びており、凹部の壁から離隔した下向きに垂下する孤立ブロックを中に有し、ブロックの片側に前後に延びる直線チャネルを、また他の側に再循環チャネルを画定する。前後に延びる直線チャネルと再循環チャネルとは、凹部の前端部において凹部の弧状壁によって互いに連結されており、壁の一部分はキャッチ・ピンのための掛け金がかけられていない表面を画定し、壁の他の部分はキャッチ・ピンのための再循環カミング（ｃａｍｍｉｎｇ）表面を形成する。その前端部では、孤立ブロックは掛け金作動表面の前端部と合流する傾斜したピン引張り表面を有し、掛け金作動表面の後端部は、前後に延びる通路と合流している。その後端部では、垂下する孤立ブロックが再循環チャネルへ通じる再循環表面を有する。
【００３１】
この配置では、作動器の前方移動の結果として、旋回アームの下側における垂下案内ピンが傾斜したピン引張り表面によって偏向されるまでプレートをハウジングのスライド・レールにおける滑り路の前端部に向けて移動させ、その後掛け金作動表面を滑り路の中の掛け金凹部の中に移動させるようにピン引張り表面によってキャッチ・ピンが係合され、これに応じて作動器はプレートから外されて引出しの完全開放を可能にする。揺動アームの上でキャッチ・ピンはプレートに支えられており、この揺動アームによって掛け金凹部内でキャッチ・ピンに掛け金をかけた結果、プレートは作動器従動体阻止位置へ移動されるようになっている。
【００３２】
引出しを閉じようとするときは、作動器の下側における前後に延びる通路が作動器の下側における凹部の弧状前端部の一部を形成する掛け金をかけられていない表面がキャッチ・ピンを掛け金凹部から外させるまで掛け金凹部にあるキャッチ・ピンの上を滑り、こうしてキャッチ・ピンがハウジングのスライド・レールにおける滑り路の後端部に至るまでプレートが好ましくはそのばね偏向の影響下で作動器従動体阻止位置から後向きに滑ることを可能にする。このときまで、ピンは凹部の弧状前端部の中央部分と垂下する孤立ブロックの前端部におけるピン引張り表面との間に係合するようになり、こうしてハウジング内でプレートを最後尾位置に偏向させるばねが内側スライド部材とこれに取り付けられた引出しとをその最後尾位置に引っ張ることを可能にし、こうして自動閉鎖機構として作動する。
【００３３】
キャッチ・ピンが不注意に滑り路における掛け金凹部から外れた状態になることによって引出しが完全に開いたとき、プレートがハウジングにおいてその最後尾位置に移動した場合には、作動器の後方移動の結果として、垂下する孤立ブロック上の後向き循環表面がキャッチ・ピンを上向きに滑り路における循環凹部の中に移動させて孤立ブロックがピンを通り過ぎることを可能にし、これに応じて作動器の下側における凹部の前向き弧状端部上のカミング表面はキャッチ・ピンを移動させて滑り路の後部におけるその中央位置の中に戻す。
【００３４】
本発明はまた、上述のような引出しスライド・インタロック組立体を有する引出し、および戸棚の中に垂直に配置された引出しの積重ねにも及び、積重ねにおける各引出しは上述のインタロック組立体を備え、ある引出しの組立体の作動器従動体と隣接する引出しのものとの間に連結ロッドが延在し、このロッドは戸棚の後部近くに位置している。
【００３５】
本発明によればまた、戸棚の中に支持された引出しの積重ねが複数の引出しが同時に開けられた結果として転倒することを防止するための方法が提供され、この方法は上述のような引出しスライド・インタロック組立体を積重ねにおける各引出しに取り付けることを含み、これによって積重ねにおける引出しの１つが開けられたときに、インタロック組立体は最初の引出しが閉位置に移動されるまで他の引出しが開かれることを防止する。
【００３６】
引出しスライド・インタロック組立体は、１つまたは２つの作動器従動体を有することができる。引出しスライド・インタロック組立体が、１セットの垂直に配置された引出しスライドの頂部または底部に位置する引出しスライドの中に組み込まれている場合には、インタロック組立体は１つの作動器従動体を有することができる。引出しスライド・インタロック組立体が外側スライド部材の中に滑り可能に取り付けられた２つの作動器従動体を有することが好ましい。２つの作動器従動体が存在する場合には、これらは外側スライド部材の縦軸の対向する両側に置かれる。
【００３７】
引出しスライド・インタロック組立体が２つの作動器従動体を備えている場合には、各作動器従動体は第２作動器従動体の半幅脚部分（ｈａｌｆ  ｗｉｄｔｈ  ｌｅｇ  ｐｏｒｔｉｏｎ）と協働してこれに並ぶような形になっている半幅脚部分を有することができ、各半幅脚部分は十分に長くてハウジングのスライド・レールの下方に延在し作動器従動体を常に適所に保持する。
【００３８】
引出しスライドが中間スライド部材を有する場合には、ハウジングは中間スライド部材が外側スライド部材の後端部に到達することを防ぐために少なくとも１つのストップを含むことができ、こうして中間スライド部材が引出しスライド・インタロック組立体の機能動作を阻害することを防止する。中間スライド部材の後端部が中央切欠き部分を有し、こうして２つのプロング（ｐｒｏｎｇ）が中間スライド部材の後端部から延びて、プロングの各々は中間スライド部材がハウジングの後部に向かって移動されるときにハウジングのストップに当ることが好ましい。
【００３９】
プレートをハウジングの後部に向かって偏向させる弾性手段またはばねは、引入れ機構を有する引出しスライドを提供することもできる。「引入れ機構」とは、引出しスライドの閉位置への最終移動を助ける自動閉鎖機構を意味する。本発明の好ましい一実施形態では、内側スライド部材が引出しスライドの後部へ向けて押されると、作動器はプレートの上に重なり、プレートはハウジングとプレートとの間に延在するキャッチ手段によって保持される。内側スライド部材がプレートの上に重なると、キャッチ手段はプレートを作動器に取り付ける。この結果、プレートと作動器はともにハウジングとプレートとの間に延在する弾性手段またはばねによって引出しスライドの後部に向けて引き戻される。
【００４０】
本発明によればまた、戸棚における引出しスライドの上に取り付けられた１セットの引出しの１つの引出しスライドのためにインタロック組立体が提供され、インタロック組立体は引出しスライドの後部に備えられ、前記インタロック組立体はその中に引出しスライド用の自動閉鎖機構を組み込んでいる。
【００４１】
自動閉鎖機構が、インタロック組立体のハウジングとハウジングの中に移動可能に支持されたプレートとの間に延在するばねを含み、プレートは内側スライド部材が引出しスライドの後部近くにあるときにはインタロック組立体の一部を形成する掛け金手段によって引出しスライドの内側スライド部材に連結されていることが好ましい。プレートがハウジングの後部における第１部分とそれから離隔する阻止位置との間でハウジングの中に滑り可能に支持されており、ばねがプレートをハウジングの後部における最初の位置に向けて偏向することが好ましい。
【発明を実施するための最良の形態】
【００４２】
以下に、本発明の３つの実施形態を添付の図面を参照して単に例示として説明する。図面の図１から６までを参照すると、図５には引出しスライド（１２）の後端部（２０）の中に組み込まれた引出しスライド・インタロック組立体（１０）が示されている。引出しスライドは外側スライド部材（１４）と、内側スライド部材（１６）と、中間スライド部材（１８）とを有する。組立体（１０）は内側スライド部材（１６）の後端部（３４）の上に取り付けられた作動器（３２）を含む。作動器はその後方端部（６６）の上に２つの前方傾斜作動表面（５８，６０）とさらに２つの傾斜表面、および外側スライド部材に向く作動器の面の上に位置するスタッド（８２）を有する。図示するように、作動器は部材（１６）の後端部（３４）の上に支持された硬い重合体の部材（５９）から形成されている。
【００４３】
組立体（１０）は、外側スライド部材（１４）の後端部に取り付けられたハウジング（２２）を含む。図１に詳細に示すハウジングは重合体の材料から作られており、後部分（２３）と、これから離隔した前部分（２５）とを有し、これらの部分は２つの直立した中央レール（７４）によってともに連結され、この上に図２に示すデルタ形プレート（２６）が滑り可能に取り付けられる。プレート（２６）は、ハウジングの後縁部（２４）と後縁部（２４）から離隔した位置との間をプレートを後縁部（２４）に向かって偏向させるばね（５０）によって滑動することができる。しかし、ばね（５０）は不可欠なものではない。ハウジング（２０）とプレート（２６）との間に延在するキャッチ手段（３０）はプレートをハウジング（２２）の後縁部（２４）から離して保持し、ハウジングの一部であってレール（７４）の１つの前部分から直立した直立部（７８）を含む。直立部（７８）の頂表面はプレート（２６）がハウジングとともに組み立てられると、図４および５に示すように実質的にプレート（２６）の頂部の平面内に位置する。キャッチ手段はさらにプレート（２６）の上にフック（７６）とストップ（８４）とを含む。ばね（５０）の一端部（８６）はハウジング（２２）に取り付けられており、ばねの他端部（８８）はプレート（２６）に取り付けられている。２つの内方に向いたストップ（２７）がハウジング（２２）上にプレートの後方移動を制限する突合せ部を形成する。前方移動は直立部（７８）の後面と協働するプレート（２６）上のストップ（８４）によって制限される。
【００４４】
プレート（２６）の下側には内側に曲がった下部フランジとプレート自体の下側とによって画定された２つの溝がありこれらは滑り路を形成し、レール（７４）の上にプレートを捕捉して保持し、レールはその上に横外方に延びるフランジを有し、この下にプレートの下側の下部フランジが係合する。
【００４５】
プレート（２６）は後縁部（２８）と、二次作動表面（６８，７０）と、２つの側縁部（９６，９８）と、前方に突出したノーズ（７９）とを有し、ノーズはプレートの前端部に重合体の材料の薄いセクションによって弾性的に連結され、プレート（２６）の平面に直角に延びる軸の周りにノーズ（７９）が旋回できるようにする。フック（７６）はノーズ（７９）の上に形成されている。プレートは外側スライド部材の滑りトラック（１５、１７）の間に嵌合している。プレート（２６）はまたノーズ（７９）の側面に形成された凹部（８０）を有し、この凹部は作動器（３２）上のスタッド（８２）と協働してプレート（２６）と作動器（３２）との間の取付け手段を形成する。この凹部（８０）は解除表面（８３）とキャッチ表面（８５）とを有する。
【００４６】
２つの作動器従動体（３６）が内側スライド部材（１６）の移動に直角な横移動のために外側スライド部材（１４）に滑り可能に取り付けられており、従動体（３６）は外側スライド部材（１４）の滑りトラックにおける開口を通じて外側スライド部材の上を外向きに延びる部分を有する。作動器従動体（３６）は外側スライド部材（１４）の対向する両側に取り付けられ、外側スライド部材（１４）の縦軸に実質的に直角に延びている。図１から６までに示す実施形態の作動器従動体は図３にさらに明確に見ることができ、それぞれハウジング（２２）の後部分（２３）の前壁と前部分（２５）の後壁とによって設けられた２つの離隔した平行な案内壁によって横方向に導かれる。各作動器従動体は、図６に示すように、これをインタロック・ロッド（４０，４０ａ）に連結することができる手段（５４）を備えている。各従動体（３６）は内部半幅脚（５６）と、これらの中央から直立したタレット（５５）とを有する。半幅脚５６は従動体がハウジング２０に取り付けられると（図４を参照）、互いに重なり合いレール（７４）の下に延びて従動体（３６）を適所に保持する。タレットは内方に向いた上部または第１従動体表面（４６）と、表面（４６）から横方向外向きに離隔した下部または第２従動体表面（４８）とを有する。２つの従動体表面（４６，４８）は外側スライド部材（１４）の縦軸に対して約４５°の角度で傾斜している。上部または第１従動体表面（４６）は実質的に作動器（３２）と同じ平面内にあり、下部または第２従動体表面（４８）は主としてプレート（２６）と同じ平面内にある。
【００４７】
その後端部には切欠き（７１）が中間スライド部材（１８）に設けられ、レール（７４）とプレート（２６）との前端部を受け入れ、中間スライド部材の後端部から延びる２つのプロング（７２）を残す。これらのプロングは中間スライド部材が閉位置に移動されると、ハウジング（２２）の中に成形されたそれぞれのストップ（５２）に対向して位置する。
【００４８】
引出しスライド・インタロック組立体は次のように働く。引出しスライドに取り付けられた引出し〔図示せず〕が閉位置にあるときには、引出しスライドは図４に示すようになり、インタロック組立体は活動していない。引出しが開かれると、内側スライド部材（１６）は引出しスライドの後端部（２０）から離され、作動器（３２）の下側にあるスタッド（８２）が凹部（８０）のキャッチ表面（８５）と係合し、こうしてプレート（２６）を引っ張って引出しスライドの端部（２０）から離す。内側スライド部材とプレート（２）が前方に移動すると、各作動器従動体の上部または第１従動体表面（４６）は作動器（３２）の表面（５８、６０）によってそれぞれ係合され、こうして従動体（３６）を動かし始めて引出しスライドの中心縦軸から離し、こうして従動体（３６）を横外向きに動かす。
【００４９】
次に、作動器の連続前方移動の結果、従動体（３６）上の下部または第２従動体カム表面（４８）はそれぞれプレート（２６）上の作動表面（６８，７０）によって係合されることになり、この結果、従動体はさらに横外向きに動かされる。従動体表面の係合は上述の方法で起こり、そうでなければスタッド（８２）とキャッチ表面（８５）間に結果として生ずる力はこれらの間の離脱を生む結果となり、または代りに、薄弱線（８１）上の力がこの個所の破壊をもたらす。
【００５０】
内側スライド部材が引出しスライドの後端部（２０）から離れるように移動し、プレートがレール（７４）に沿って滑り続けると、フック（７６）は直立部（７８）の側部に沿って滑動する。フックが直立部（７８）の前端部に到達すると、フックはプレート（２６）の残りに対するノーズ（７９）の弾性連結により時計方向に旋回し、直立部（７８）の端部を取り巻き、プレート（２６）がばね（５０）の作用の下で引出しスライドの端部（２０）に向かって滑り戻ることを防止する掛け金として作用する。プレート（２６）がさらに移動して引出しスライドの端部から離れることは、直立部（７８）の端部に当るストップ（８４）によって防止される。ノーズ（７９）の時計方向の旋回はフック（７６）をスタッド（８２）から離脱させ、こうして内側スライド部材が移動し続けて引出しスライドの後部から離れ、中間スライド部材（１８）を通過することを可能にする。この構成は図５に示されており、ここで引出しスライドは部分的に延びた構成にあり、引出し（図示せず）は部分的に開いている。
【００５１】
図６を参照すると、各引出しスライド・インタロック組立体は、その隣接組立体に連結ロッド（４０、４０ａ）によって連結されており、この配置では各連結ロッド（４０）の一端部が手段（５４）に連結され、たとえば一引出しスライド・インタロック組立体の作動器従動体（３６）における開口の中に挿入され、連結ロッド（５４）の第２端部（４４）は隣接組立体の作動器従動体（３６）における等価の手段（５４）の中に挿入されている。
【００５２】
これは、上部引出しが開いているときには、中部または底部引出しスライド・インタロック組立体に取り付けられた引出し（図示せず）のいずれかを開けることは不可能であることを意味する。中部引出しスライドの内側スライド部材は移動を防止される。そのわけは、作動器従動体が取り付けられている連結ロッド（４０）の他端部における作動器従動体（３６）がプレート（２６）の縁部（９６）の存在によって移動を防止されるので、中部引出しスライド・インタロック組立体の頂部作動器従動体（３６）がその阻止位置から移動することはできないからである。同様に底部引出しは開けることができない。そのわけは、底部引出しスライドの内側スライド部材が移動から防止されるためであり、それは底部引出しスライド・インタロック組立体（３６）がその阻止位置から移動できないためであり、そのわけは、作動器従動体が取り付けられている連結ロッド（４０ａ）の他端部における作動器従動体（３６）が中部引出しスライド・インタロック組立体の作動器従動体の脚（５６）間の相互作用によって移動を防止されるからであり、この作動器従動体は上述のように頂部引出しスライドの底部作動器従動体（３６）の移動を阻止するプレート（２６）の縁部（９６）が存在するので移動できない。この方法で、垂直配置の引出しセットにおける１つの引出しを開けると、他の引出しスライドの内側スライド部材の移動が阻止される。ここには示されていないが、同様な効果を垂直配置の閉じた引出しのセットにおけるすべての引出しについても、次に説明するように引出しを閉位置にロックするために引出しスライド・インタロック組立体のセットにおいて、最上段または最下段の作動器従動体（３６）をそれぞれ上下に強制するためのロックを操作することにより達成することができる。
【００５３】
次に本発明の第２形態を図示する図７から１２までを参照すると、第１形態の部分と類似または同一の部分は同じ参照番号によって確認される。先の形態におけるように、ハウジング（１２２）は外側スライド部材（１４）の後端部の中にはめられ、この目的のために外側スライド部材は切欠き（１２３）を備えている。ハウジングは重合体の材料から作られ、前部分（１２６）から離隔した後部分（１２４）を含み、前部分は後部分にブリッジ部材（１２８）によって接合され、ブリッジ部材は２つの外側に向くレール（１３０，１３２）を組み込み、これらのレールの上にデルタ形のプレート（１３４）を滑り可能に置いてもよい（図８および図１０から１２までを参照）。この目的のために、図１０に示すようにプレート（１３４）はその後端部に滑り路（１３６）を備えている。
【００５４】
ハウジング上の外向きに突出するラグ（１３８）は、外側スライド部材（１４）における開口部（１２３）の中にハウジングを保持し、これに類似の配置は上述の第１形態に備えられている。ハウジングの前部分（１２６）の前端部に向けて直立ガイド・ポスト（１４０）が設けられ、ガイド・ポストはプレート（１３４）の前端部の前方滑り路として作用する内側に向いた部分（１４２）を有し、プレート（１３４）は部分（１４２）の下にあってポスト（１４０）の間にある横方に延びるスライド表面（１４４）を備えている。その後端部には、ハウジング（２０）は直立する弧状のバッファ（１４６）を備え、このバッファに対してプレート（１３４）の下側の中央ノーズが係合してハウジング（２０）におけるプレート（１３４）の後向き移動を制限することができる。さらに別の弧状バッファ（１５０）がプレートの前方部分（１２６）の直立内壁に備えられて、引出しスライドの中間スライド部材（１８）の後向き移動を制限する。
【００５５】
特に図８からわかるように、プレート（１３４）は内側に向いた２セットのガイド（１５２，１５４）を備え、これらのガイドはハウジング（１２０）のブリッジ（１２８）上のレール（１３０，１３２）と協働してプレート（１３４）がハウジングに対して制御された方式で滑ることを可能にする。ばね（図示せず）がハウジング（２０）上のバッファ（１４６）とプレート（１３４）との間に延在して、プレートをハウジング（２０）の後部に向けて偏向させる。２つの固定点（１５５）がプレート（１３４）の下側に設けられ、この固定点にばねの両端部が連結されている。プレート（１３４）をハウジング（２０）の後部に向けて偏向させるのみならず、また、引出しスライドがその完全な閉位置に接近するときに引出しスライド用の自動閉鎖機構を提供するようにするため、ばねは不可欠ではないが好ましい（第１形態のばね（５０）は同様の効果を提供する）。
【００５６】
プレート（１３４）はその前方端部にスライド表面（１４４）の間に中央開口（１５６）を備え、図９の側面図に見るキャッチ手段（１５８）を受け入れる。キャッチ手段は２つの外向きに突出する旋回軸（１６０）によってプレート（１３４）に旋回式に連結され、このいずれかの側の１つはプレート（１３４）の下側に形成されたかみ合い旋回軸スロットの中でスナップ・フィットと係合している。キャッチ手段（１５８）は主突起（１６２）を有し、この後端部から突合せ部（１６４）が直立し、その前端部からもう１つの突合せ部（１６６）が直立しており、その前縁部は（１６８に示すように）面取りされている。このキャッチ手段は作動器（３２）の下側の中央に位置する垂下ブロックと係合可能であり、このブロックの長さ（Ｘ）は突合せ部（１６４，１６６）の間の間隔（Ｘ）に対応する。キャッチ手段（１５８）の前方端部の下側から弾性変形可能な掛け金フック（１７０）が突出している。その緩和位置にあるときには、掛け金フック（１７０）の自由端（１７２）は、内側引出しスライド部材（１６）に取り付けられた作動器（３２）上のブロック（８３）の前面（８５）がキャッチ手段（１５８）上の面（１６６）と係合するときに、プレート（１３４）がその中に支えられたキャッチ手段（１５８）とともに前方に引っ張られると、ハウジング（２０）の前方端部（１７４）に当る。面（１７２，１７４）が互いに突合せ状態にあるときには、プレート（１３４）の側縁部（９６）は、本発明の第１形態におけるように、外側スライド部材（１４）内の凹部（１２３）と整列して位置し、こうして作動器従動体（３６ａ）が外側スライド部材（１４）の中心縦軸に向かって内方に移動することを防止する。本発明の第１形態におけるように、プレート（１３４）は前方に向いた作動表面（６８，７０）を備え、これらの作動表面はプレート（１３４）が内側スライド部材（１６）の前方移動によって前方に引っ張られると、従動体（３６ａ）の内向きおよび外向きの従動体表面（４８）と係合する。これはもちろん、従動体（３６ａ）を外向きに移動させて外側スライド部材（１４）の縦軸から離す効果を有する。
【００５７】
先の形態におけるように、各従動体（３６ａ）は図６に示す方法でロッド（４０，４０ａ）によって隣接スライドの従動体に連結されているので、内側スライド部材に取り付けられた引出し積重ねの１つの引出しが開けられた場合に、前述のようにこれは引出し積重ねの別の引出しが開けられることを不可能にする。
【００５８】
引出しを閉じようとするときには、内側スライド部材（１６）の後向き移動の結果、作動器の後面上の溝（８９）がブロック（８３）上の後面（８７）が直立部（１６６）の面取りされた表面（１６８）の上に載るまで突合せ部（１６４、１６６）上を滑ることになり、こうして後面がキャッチ手段の後直立部（１６４）の前方に向いた表面（１７６）に当るまで作動器（３２）がさらに後方に移動することを可能にする。これは直接、キャッチ手段（１５８）をその旋回軸（１６０）の周りに（図９に示すように反時計回りに）旋回させ、こうして掛け金フック（１７０）の自由縁部（１７２）を移動させてハウジングの前縁部（１７４）との係合から外し、これに応じて、ばね（図示せず）は直接、直立するバッファ（１４６）によってさらなる移動が防止されるまで、プレート（１３４）をハウジング（２０）内で近い方に移動させる。この近い方への移動はもちろん、プレート（１３）の２つの横表面または側縁部（９６）を後方に移動させて凹部（１２３）から離し、こうして各従動体（３６）が外側スライド部材（１４）の縦軸に向かう内方へ移動することを可能にし、したがってこれに続いて、引出し積重ねの別の引出しを開くことができるようにする。こうして、プレート（１３４）をその前方インタロック位置に保持するための掛け金構成が図１から５までに示す方法とは異なる方法で動作しても、図７から１２までに示すインタロック組立体は、図１から６までに示す方法と同様な方法で動作することが理解されよう。
【００５９】
次に図１３から２１までに示す本発明の第３形態を参照すると、インタロック組立体は外側スライド部材（１４）の後端部の中に嵌合するハウジング（２２２）を含み、この後端部は先の形態におけるようにスナップ・フィットを有するこの目的のための切欠きを備えている。ハウジングは重合体の材料で作られ、前部分（２２６）から離隔した後部分（２２４）を含み、これらは前後移動のために概してＵ形のプレート（２３４）を滑動式に支持するためにスライド・レール（２２８）によってさもに接合されている。スライド・レール（２２８）は、その後端部で直立バッファ（２４６）において終端し、直立バッファ（２４６）の外側弧状面（２４８）の上に弧状の溝が形成されて、ばね（２５０）の中心部分を収容する。スライド・レール（２２８）はその中に中央滑り路（２３０）を有し、中央滑り路の前端部に向かって掛け金凹部（２３１）があり、中央滑り路の後端部にはリサイクル凹部（２３５）がある。先の形態におけるように、一対の作動器従動体（２３６）が外側スライド部材（１４）の縦軸に直角な滑り移動のために、ハウジング（２２４）の中の滑りチャネル（２３７）の中に滑り可能に支持されている。作動器従動体はハウジング（２２２）の中に形成された滑りチャネル（２３７）に滑り可能に支持されているように図示されているが、この形態のみならず上述の形態においても、外側スライド部材の縦軸に直角に滑り移動するために、作動器従動体を何か別の方法で支持できることは理解されよう。先の形態におけるように、作動器従動体は従動体表面（４７，４８）と、インタロック・ロッド（４０，４０Ａ）に連結するための手段（５４）とを備えている。先の形態におけるように、外向きに突出するラグ（２３８）がハウジング（２２２）を外側スライド部材（１４）の中に堅く保持している。
【００６０】
特に図１４から１８までに見ることができるように、プレート（２３４）はハウジング（２２２）の上を前後に滑ることができ、その長さにわたって走る中央滑り路（２４９）を有し、これはスライド・レール（２２８）と係合してブレートをその前後滑り移動に導く。プレートの上面から上向きに一対の固定用杭（２５５）が突き出ており、これらにばね（２５０）のそれぞれの端部が取り付けられている。これによって、常にプレートは図１９に示すようにハウジングにおける最後尾位置に向かって確実に偏向される。プレートの各外側縁部の下に縦方向に延びる案内路（２５４）があり、これはハウジングに対するプレートを確実に直線滑り移動させるようにハウジングの内壁上の内側に突き出たガイド・リブ（２５２）と係合する。プレート（２３４）の下側に凹部（２５７）が形成され、プレート（２３４）は一端部に垂下する旋回ピン（２５９）と、その反対端部に近接した弧状スロット（２６１）とを有する。旋回アーム（２６３）の形をなすキャッチ手段が凹部（２５７）の内部に緩く支持され、旋回アームはその中の一端部の近くに旋回ピン（２５９）上で密閉はめ合いを形成する開口（２６５）を有し、その上端部に弧状スリット（２６１）に滑りはめ合いを形成するキャッチ・ピン（２６７）を有する。キャッチ・ピン（２６７）はスロット（２６１）を通じて上向きに十分な距離だけ突き出て、キャッチ・ピンが作動器（２３２）によって内側スライド部材（１６）の後端部に確保されることを可能にする。また、旋回アーム（２６３）から垂下ガイド・ピン（２６９）が下向きに延び、垂下ガイド・ピン（２６９）はキャッチ・ピン（２６７）と同軸であり、ハウジング（２２２）の中の滑り路（２３０）に滑りはめ合いを形成する。
【００６１】
次に図１９から２１までを参照すると、作動器（２３２）はその下側に３つの主凹部を有し、このうち１つは後中央領域上にあり、２つは外側スライド部材（１４）の側部に向かっていずれの側でも外向きに開いている。外向きに開いた凹部の各々は、前方に延びているが傾斜した一対の作動表面（２５８，２６０）を提供するように形成され、これらの作動表面は作動器従動体（３６）上の従動体表面（４８）のそれぞれ１つと協働するように設計されている。さらにまた、作動器（２３２）の後端部も従動体表面または従動体（３６）上の凹状表面（４７）と協働する先の形態におけるような傾斜した表面（４７）によって形成される。補足凹部（２０１）もまた、作動器（２３２）の下側に形成されて、作動器がその最後尾位置にあるときに、その下側が直立ばね固定杭（２５５）の先端に決して衝突しないようにする。
【００６２】
傾斜表面（６２，６４）の間に、図１９から２１までにおいて２０３で確認される中央凹部はその中に垂下する概して中央に位置する孤立ブロック（２０５）を有し、このブロックはキャッチ・ピン（２６７）の直立端部を容易に滑りかみ合いで受け入れるために十分な距離だけ凹部の対立する特別設計の側壁（２０７，２０９）から離隔している。孤立ブロック（２０５）は前部傾斜ピン引張り表面（２１１）を有し、この表面はその一端部において鋭角度の少ない傾斜ピン・カミング表面（２１３）と合流し、その対向端部は側壁（２０９）に平行であるが離隔している前後に延びる表面（２１５）と合流する。その前方端部では、孤立ブロック（２０５）は概して表面（２１３）に平行に延びる傾斜リサイクル表面（２１７）を有し、次いで表面（２１３）は凹部（２０３）を画定する弧状側壁（２０７）に概して平行であるが離隔しており、こうしてキャッチ・ピン（２６７）の突き出た先端を収容するために全く十分に幅広のリサイクル・チャネル（２２１）を提供する。孤立ブロックの他の側における平行側壁（２０９，２１５）の間には、キャッチ・ピン（２６７）のための前後に延びるチャネルがあり、掛け金作動表面（２１３）に対向してキャッチ・ピン（２６７）を移動させて滑り路（２３０）の中に形成された掛け金凹部（２３１）から外すように設計されたピン掛け金外し表面（２２３）がある。
【００６３】
この機構は次のように働く。内側スライド部材（１６）が取り付けられている引出しがその閉位置にあるときには、作動器（２３２）はその図１９の位置にあり、プレート（２３２）はハウジング（２２２）におけるその最後尾位置にある。この位置にあるときには、キャッチ・ピン（２６７）は凹部（２０３）の弧状前端部（２２５）と孤立ブロック（２０５）の後方に延びる傾斜ピン引張り表面（２１１）との間の中央に位置する。引出しを開けるための引出しの前方移動はピン引張り表面（２１１）をキャッチ・ピン（２６７）と係合させる。ピン引張り表面（２１１）は僅かに傾斜しており、したがってピンを偏向させようとし、したがってピンが係合する旋回アーム（２６３）を図に示すように下向きに移動させようとするが、滑り路（２３０）に係合された旋回アーム（２６３）の上にさらなる垂下ガイド・ピン（２６９）があるので、２つのピンと旋回アーム（２６３）は中央位置に残らなければならない。したがって、内側スライド部材（１６）が連結されている引出しをさらに開く結果として内側スライド部材（１６）が連続して移動すると、その結果、旋回アームが旋回式に支持されているプレートは、滑り路（２３０）の前端部に向かうばね（２５０）の偏向に対抗して前方に移動する。しかしながら、プレート（２３４）が滑り路（２３１）の前面に近づくと、掛け金凹部（２３１）の存在によってキャッチ・ピン（２６７）上の下向き偏向力は垂下ガイド・ピン（２６９）を下向きに掛け金凹部（２３１）の中に移動させることができ、この下向きの移動は内側スライド部材（１６）がさらに前方に移動するとき、傾斜掛け金作動表面（２１３）によって完成される。一旦、垂下ガイド・ピンが掛け金作動表面（２１３）によって掛け金凹部（２３１）の中に完全に強制されると、掛け金凹部（２３１）が２０２に示すように僅かに傾斜するので、垂下ガイド・ピンは掛け金凹部（２３１）の内部に保持される。一旦、垂下ガイド・ピンが掛け金凹部（２３１）の中で掛け金がかけられると、これは完全に側壁（２０９，２１５）によって画定された前後に延びる通路の中に位置することになり、こうしてピン（２６７）は開口（２０３）の最後尾端部から離脱することができるので、内側スライド部材（１６）とこれが取り付けられた引出しとが完全に開けられることを可能にする。この構成は図２１に明確に示されており、図２０は図１９の位置と図２１との位置の間の中間位置にある機構を示す。
【００６４】
内側スライド部材（１６）が取り付けられた引出しを開ける結果としてのプレート（２３４）の前方移動によって、プレート（２３４）上の傾斜した前向きの作動表面（６８，７０）または作動器上の傾斜した前向きの作動表面（２５８，６０）は移動して、従動体または従動体（３６）の上のリセット表面（２４８）に係合し、こうして従動体を外向きに動かして外側スライド部材（１４）の縦中心軸から離す。次いで、これによってプレート（２３４）は内側スライド部材（１６）が取り付けられている引出しをさらに開く結果として自由に前方に移動することができ、こうしてプレートの２つの対抗する側縁部（２９６）は作動器従動体（３６）の内向きの移動を防止する。
【００６５】
もちろん、一旦作動器従動体（３６）が上述のようにこれらの最外阻止位置に保持されると、作動器従動体（３６）の一端部に取り付けられたロッドと、これらの他の端部において同一の機構を付けた隣接引出しスライドの作動器従動体に連結されたロッドとは、それぞれのプレート（２３４）の前方移動を阻止し、こうして先の形態におけるように、隣接引出しは開けられることを防止する。
【００６６】
図２１の位置から機構を移動させるように引出しを閉じたいときには、引出しの後方移動によって結局、引出しの内側スライド部材（１６）に取り付けられた作動器（２３２）は開口（２０３）の口が滑り路（２３０）の開放端部に重なる位置に動くことになる。キャッチ・ピン（２６７）が凹部（２３２）の中で掛け金をかけられているので、側壁（２０９、２１５）によって画定された前後に延びる通路は、結局は掛け金をかけられていない表面（２２３）がピン（２６７）の先端に係合するまで突出先端を越えて移動しカムとして作用し、ピンを持ち上げて掛け金凹部（２３１）から出し始める。作動器の連続後方移動によって、キャッチ・ピンは完全に持ち上げられ凹部（２３１）から出され、掛け金ピンは、凹部（２０３）の壁の弧状前端部（２２５）とピン引張り表面（２１１）との間を動かされることになる。一旦、ピンがこの位置に来ると、ばね（２５０）はプレートと、同プレートとここで係合された作動器とを、表面（２２５）と係合するピン（２６７）の存在によって外側スライド部材（１４）の後部に向かって偏向させ、こうして引出しのための自動閉鎖機構として作用する。もちろん、図１９に示すようにプレートがその最後尾位置に後退すると、その側縁部（２９６）はスライド・チャネル（２３７）の後部へ移動し、こうして作動器従動体（３６）が外側スライド部材の縦中心軸に向かって内方へ移動することを可能にする。言い換えれば、使用者が引出し積重ねの隣接引出しを開けようとすると、開けようとする引出しのインタロック機構が図１９に示すように作動器従動体（３６）のいずれかをプレート阻止位置へ動かすように作動できることになるので、これは可能である。
【００６７】
ある場合には、引出しが完全に開かれて作動器（２３２）が滑り路（２３０）はもちろんハウジング（２２２）にないときでも、キャッチ・ピン（２６７）が掛け金凹部（２３１）から不注意に外れることも可能である。このようなキャッチ・ピンの掛け金外れが起こると、ばね（２５０）はもちろん直ちにプレート（２３４）をピャッチ・ピンおよびその旋回アームとともに図１９の位置へ戻すことになる。この場合、引出しの付きの閉鎖は結局、孤立ブロック（２０５）の後縁部における傾斜リサイクル表面（２１７）がキャッチ・ピン（２６７）と係合する結果となる。このような係合の結果として、キャッチ・ピン（２６７）は傾斜表面（２１７）によってリサイクル凹部（２３５）の中に上向きに運動変換されることになる。これが起こると、次いでピンはピンが通路（２２１）の内側に傾斜した領域の中に動くまで作動器（２３２）のさらなる後方移動の結果としてチャネル（２２１）を下降し、その結果、ピンは凹部（２０３）の弧状前端部（２２５）の一部を形成するカミング表面（２２７）によって滑り路（２３０）の中間の中央位置へ運動変換によって戻される。一旦、キャッチ・ピン（２６７）が滑り路（２３０）における中央に位置すると、これはピン引張り表面（２１１）の後に位置することになり、こうして前述のように機構の動作を可能にする。孤立ブロック（２０３）の通過を可能にするキャッチ・ピンのこの側移動はリサイクルとして知られている。このようなリサイクルはまた前述の形態の各々においても可能である。
【００６８】
本明細書に説明する形態の各々において、２つのさらなる傾斜表面（６２，６４）が作動器（３２）の後端部の上に備えられ、これらの表面は従動体（３６，３６ａ）上の傾斜リセット表面（４７）とそれぞれ協働する。これは、作動器（３２）が引出しスライドを取り付けた引出しの後部に戻されるとき、２つの従動体が不注意にプレート阻止位置に移動した場合には、これらは引出しスライドの縦軸から離隔した非阻止位置に戻されることを意味する。
【００６９】
図７から１２までの第２形態では、作動器従動体（３６ａ）は本発明の第１形態におけるように２セットの従動体表面（４６，４８）を備えてもよいことが理解されよう。また第２形態では、小さな突出部（１８０）がハウジングの後部分（１２４）と前部分（１２６）との間の空間に延び、これらは従動体（３６ａ）上の突出部（図示せず）と協働する。これによって、従動体をその突出部を強制的に上記突出部（１８０）を乗り越えさせる「スナップ・フィット」作用によって上記空間に嵌合させることができる。
【００７０】
また、ハウジング（２０）の後端部に片持ち梁式に前方に延びるプレートを取り付けることにより、プレートは作動器が引出しスライドの後部にあるときには作動器の上に位置して、作動器の横の遊びを、よってこれを取り付けた閉じた引出しの遊びを防止することができる。
【００７１】
また、ハウジングの後部分（２４，１２４）は外側スライド部材（１４）によって支持される必要はないことも構想される。
【００７２】
本発明の第１形態を参照して説明した特徴のいくつかを第２および第３形態の１つまたは両方に使用することもでき、逆も言えることは当業者には明らかになろう。
【００７３】
本明細書に説明したインタロック組立体はまた、個別のロック・システムまたはロック機構とインタフェースすることによってロック能力を容易に備えることもできる。たとえば、ロック・システムは作動器従動体の上向き変位を阻止する部材を備えて、これによってあらゆるスライド部材の開放を防止することもできる。これは、最上位スライド部材の上部作動器従動体に連結されたロッドの移動経路の前面で滑動するロック部材を使用することによって果たすことができる。
【００７４】
本発明は純粋に例示として説明されており、本発明の範囲内で詳細の変更ができることはもちろん理解されよう。
【図面の簡単な説明】
【００７５】
【図１】本発明の第１実施形態による引出しスライドを外側スライド部材の中に組み込むためのハウジングの平面図。
【図２】図１のハウジングに取付け可能なプレートの平面図。
【図３】作動器従動体の斜視図。
【図４】プレート阻止位置にある２つの作動器従動体を示し、図１のハウジング，図２のプレート，図３の２つの作動器従動体から編成され、これらはすべて引出しスライドの後部に取り付けられている引出しスライド・インタロック組立体の平面図である。
【図５】引出しスライドが部分的に延びた形態にあり、プレートが掛け金をかけた阻止位置にある図１の引出しスライド・インタロック組立体の平面図。
【図６】各引出しスライドが引出しスライド・インタロック組立体を含み、部分的に延びた形態にある最上部の引出しスライドはそれが取り付けられている引出しが部分的に開かれた結果であり、そのプレートは掛け金がかけられた阻止位置にあり、こうして他の２つの開放を防止する３つの垂直に配置された引出しスライドの部分概略側面図。
【図７】本発明の第２実施形態のハウジングを示す図１と同様な平面図。
【図８】第２実施形態のためのプレートとキャッチ手段の平面図。
【図９】プレートから外されたキャッチ手段の側面図。
【図１０】図８のプレートの端面図。
【図１１】図８に対応する側面図。
【図１２】図７のハウジングの上に取り付けられたプレートとキャッチ手段とを示す平面図。
【図１３】本発明の第３実施形態のハウジングを示す平面図。
【図１４】第３実施形態のためのプレートとキャッチ手段の平面図。
【図１５】プレートとキャッチ手段の下面図。
【図１６】キャッチ手段が外されたプレートの下面図。
【図１７】キャッチ手段の平面図。
【図１８】キャッチ手段の側面図。
【図１９】図４と同様な平面図であるが第３実施形態のものであり、ハウジング，プレート，プレートおよびキャッチ手段，および外側スライド部材に後部に組み立てられたプレート阻止位置にある２つの作動器従動体とを示し、プレートはハジングにおいてその最後尾位置に偏向されており、内側スライド部材の後端に連結された作動器は、それが取り付けられた引出しが閉位置にあるときにその使用位置にあって点線で示されており、作動器はプレートとハウジングの上に位置する平面図。
【図２０】図１９と同様な図であるが引出しが僅かに開けられた後の各部分の相対的位置を示す平面図。
【図２１】図５と同様な図であるが図１９および２０に対応するものであり、引出しがさらに開けられたときの各部分の相対的位置を示し、キャッチ手段は掛け金がかけられた位置へ移動され、この場合プレートは作動器従動体阻止位置にある平面図。
【図１】
2005504905.tif 000003
【図２】
2005504905.tif 000004
【図３】
2005504905.tif 000005
【図４】
2005504905.tif 000006
【図５】
2005504905.tif 000007
【図６】
2005504905.tif 000008
【図７】
2005504905.tif 000009
【図８】
2005504905.tif 000010
【図９】
2005504905.tif 000011
【図１０】
2005504905.tif 000012
【図１１】
2005504905.tif 000013
【図１２】
2005504905.tif 000014
【図１３】
2005504905.tif 000015
【図１４】
2005504905.tif 000016
【図１５】
2005504905.tif 000017
【図１６】
2005504905.tif 000018
【図１７】
2005504905.tif 000019
【図１８】
2005504905.tif 000020
【図１９】
2005504905.tif 000021
【図２０】
2005504905.tif 000022
【図２１】
2005504905.tif 000023
【国際公開パンフレット】
2005504905.tif 000024
2005504905.tif 000025
2005504905.tif 000026
2005504905.tif 000027
2005504905.tif 000028
2005504905.tif 000029
2005504905.tif 000030
2005504905.tif 000031
2005504905.tif 000032
2005504905.tif 000033
2005504905.tif 000034
2005504905.tif 000035
2005504905.tif 000036
2005504905.tif 000037
2005504905.tif 000038
2005504905.tif 000039
2005504905.tif 000040
2005504905.tif 000041
2005504905.tif 000042
2005504905.tif 000043
2005504905.tif 000044
2005504905.tif 000045
2005504905.tif 000046
2005504905.tif 000047
2005504905.tif 000048
2005504905.tif 000049
2005504905.tif 000050
2005504905.tif 000051
2005504905.tif 000052
2005504905.tif 000053
2005504905.tif 000054
2005504905.tif 000055
2005504905.tif 000056
2005504905.tif 000057
2005504905.tif 000058
2005504905.tif 000059
2005504905.tif 000060
2005504905.tif 000061
2005504905.tif 000062
2005504905.tif 000063
2005504905.tif 000064
2005504905.tif 000065
2005504905.tif 000066
2005504905.tif 000067
2005504905.tif 000068
2005504905.tif 000069
2005504905.tif 000070
2005504905.tif 000071
【国際調査報告】
2005504905.tif 000072
2005504905.tif 000073
2005504905.tif 000074
2005504905.tif 000075
2005504905.tif 000076